(57)【特許請求の範囲】
【請求項１】
紙幣を出金するための出金部と、
前記出金部に出金された前記紙幣である出金紙幣を押圧する押圧位置と当該押圧位置から退避した退避位置とに移動する押圧部と、
前記押圧部を移動させる駆動部と、
前記出金紙幣の少なくとも一部が載置される載置部と、
前記押圧部と前記載置部との間で前記出金紙幣が挟持されたことを検知する挟持検知センサと、
前記出金紙幣を装置内部に取り込む取り込み搬送部と、
前記出金紙幣の有無を検知する紙幣検知センサと、
前記紙幣検知センサによって前記出金紙幣の残留が検知された場合、前記押圧部を前記押圧位置に移動させるように前記駆動部を制御する制御部と、を備え、
前記制御部は、前記挟持検知センサが前記出金紙幣の挟持を検知した場合、当該出金紙幣を前記装置内部に取り込ませるように前記取り込み搬送部を制御し、
前記押圧部は、前記駆動部の駆動により回動する回動軸に一端を固定された第１のアームと、当該第１のアームの他端に設けられた連結軸と、当該連結軸に一端を連結され前記出金紙幣に接触する第２のアームと、前記第１のアームに固定され前記第２のアームを前記出金紙幣側に付勢する弾性体と、を有し、
前記押圧部は、一端を前記連結軸に回動可能に連結された押さえ部材を更に有し、
前記押さえ部材は、前記押圧部が少なくとも前記退避位置にあるときに前記出金紙幣を押さえる、
ことを特徴とする紙幣取扱装置。
【請求項２】
前記載置部は、前記押圧部によって前記出金紙幣を介して押圧されることで第１の位置から第２の位置へ下降し、
前記挟持検知センサは、前記載置部が前記第２の位置にあることを検知することで、前記出金紙幣が挟持されたことを検知する、
ことを特徴とする請求項１記載の紙幣取扱装置。
【請求項３】
前記出金紙幣の前記装置内部側である後端の位置を規制する規制位置と当該規制位置から退避した退避位置とに移動するストッパを更に備え、
前記駆動部は、前記押圧部及び前記ストッパを移動させ、
前記駆動部は、駆動源と、単一の前記駆動源が発生させる動力を前記押圧部及び前記ストッパのそれぞれに伝達する動力伝達機構と、を有し、
前記制御部は、前記紙幣検知センサによって前記出金紙幣の残留が検知された場合、前記押圧部を前記押圧位置に移動させるとともに前記ストッパを前記退避位置に移動させるように前記駆動部を制御する、
ことを特徴とする請求項１又は２記載の紙幣取扱装置。
【請求項４】
前記出金部が前端に設けられたトップモジュールと、
前記紙幣を収容する紙幣収容部を前後のそれぞれに有し、前記トップモジュールの下方に積層される複数の収容モジュールと、を更に備え、
前記取り込み搬送部は、前記複数の収容モジュールのうち最上段に位置する収容モジュールの前部の前記紙幣収容部に前記出金紙幣を取り込む、
ことを特徴とする請求項１から３のいずれか１項記載の紙幣取扱装置。
【発明の詳細な説明】
【技術分野】
【０００１】
本発明は、出金部に残留する紙幣を取り込む紙幣取扱装置に関する。
【背景技術】
【０００２】
従来、出金部に出金された紙幣が顧客によって取り出されず出金部に残留する場合に、出金部に残留する紙幣を装置内部に取り込む紙幣取扱装置が知られている（例えば、特許文献１及び２参照）。【０００３】
また、上記のように出金部に残留する紙幣を装置内部に取り込む手法として、紙幣取出口に残留する紙幣をベルトコンベヤによって挟み込み、紙幣取出口と取忘れ回収箱との間の連通状態を開閉するゲートを開き、残留する紙幣をベルトコンベヤによって取忘れ回収箱に取り込む手法が提案されている（例えば、特許文献１参照）。
【先行技術文献】
【特許文献】
【０００４】
【特許文献１】特開昭６３−２５７８８６号公報
【特許文献２】特許第５３３５８７８号公報
【発明の概要】
【発明が解決しようとする課題】
【０００５】
ところで、出金部に出金される紙幣は、数枚である場合も数十枚の束である場合もある。そのため、上述のようにベルトコンベヤによって紙幣を挟み込んで装置内部に取り込む場合、例えば数枚の紙幣に適した強い挟持力が設定されていると、特に数十枚の束の紙幣に対する挟持力が強くなり紙幣の搬送に負荷が生じることで取り込み不良が発生したり或いは紙幣が損傷したりし得る。また、数十枚の束の紙幣に適した弱い挟持力が設定されていると、特に数枚の紙幣に対する挟持力が弱くなり紙幣が挟持されずに取り込み不良が発生し得る。【０００６】
本発明の目的は、このような点に鑑みてなされたものであり、出金部に残留する紙幣の取り込み不良の発生を抑制することができる紙幣取扱装置を提供することである。
【課題を解決するための手段】
【０００７】
１つの態様では、紙幣取扱装置は、紙幣を出金するための出金部と、前記出金部に出金された前記紙幣である出金紙幣を押圧する押圧位置と当該押圧位置から退避した退避位置とに移動する押圧部と、前記押圧部を移動させる駆動部と、前記出金紙幣の少なくとも一部が載置される載置部と、前記押圧部と前記載置部との間で前記出金紙幣が挟持されたことを検知する挟持検知センサと、前記出金紙幣を装置内部に取り込む取り込み搬送部と、前記紙幣検知センサによって前記出金紙幣の残留が検知された場合、前記押圧部を前記押圧位置に移動させるように前記駆動部を制御する制御部と、を備え、前記制御部は、前記挟持検知センサが前記出金紙幣の挟持を検知した場合、当該出金紙幣を前記装置内部に取り込ませるように前記取り込み搬送部を制御する。
【発明の効果】
【０００８】
前記態様によれば、出金部に残留する紙幣の取り込み不良の発生を抑制することができる。
【図面の簡単な説明】
【０００９】
【図１】紙幣取扱装置を示す左側面図である。
【図２】紙幣取扱装置の概略構成を示すブロック図である。
【図３】出金紙幣の取り込み動作を説明するためのフローチャートである。
【図４】トップモジュール及び取り込み兼リサイクルモジュールを示す右側面図である。
【図５Ａ】出金紙幣の取り込み動作の概要を説明するための説明図（その１）である。
【図５Ｂ】出金紙幣の取り込み動作の概要を説明するための説明図（その２）である。
【図５Ｃ】出金紙幣の取り込み動作の概要を説明するための説明図（その３）である。
【図６Ａ】出金紙幣の取り込み動作の詳細を説明するための説明図（その１）である。
【図６Ｂ】出金紙幣の取り込み動作の詳細を説明するための説明図（その２）である。
【図６Ｃ】出金紙幣の取り込み動作の詳細を説明するための説明図（その３）である。
【図６Ｄ】出金紙幣の取り込み動作の詳細を説明するための説明図（その４）である。
【図６Ｅ】出金紙幣の取り込み動作の詳細を説明するための説明図（その５）である。
【発明を実施するための形態】
【００１０】
以下、本発明の一実施の形態に係る紙幣取扱装置について、図面を参照しながら説明する。
【００１１】
図１は、紙幣取扱装置１を示す左側面図である。
なお、図１、並びに、後述する図４、図５Ａ〜図５Ｃ、及び図６Ａ〜図６Ｅには、説明の便宜上、前後方向、左右方向、及び上下方向を図示する。一例ではあるが、前後左右の方向は水平方向であり、上下の方向は鉛直方向である。
【００１２】
図１に示すように、紙幣取扱装置１は、上から順に、トップモジュールＭ１、取り込み兼リサイクルモジュールＭ２、リサイクルモジュールＭ３，Ｍ４、補充モジュールＭ５、及び回収モジュールＭ６を備える。
【００１３】
トップモジュールＭ１には、紙幣Ｂ（図５Ａ参照）を入金するための入金部８３と、紙幣Ｂを出金するための出金部１０とが前方に突出するように前端に設けられている。また、トップモジュールＭ１には、後述する取り込み搬送部６０を動作させるＤＣモータ８４が配置されている。このＤＣモータ８４は、例えば、出金紙幣Ｂ１の取り込み動作以外の紙幣Ｂの搬送にも用いられる搬送用駆動源である。その他、トップモジュールＭ１は、入金部８３から入金された紙幣Ｂを鑑別する鑑別部や、紙幣Ｂを搬送する搬送部などを有する。
【００１４】
取り込み兼リサイクルモジュールＭ２、及びリサイクルモジュールＭ３，Ｍ４は、前部及び後部のそれぞれに配置された紙幣収容部Ｍ２ａ，Ｍ２ｂ，Ｍ３ａ，Ｍ３ｂ，Ｍ４ａ，Ｍ４ｂと、紙幣Ｂを搬送する搬送部と、を有する。取り込み兼リサイクルモジュールＭ２及びリサイクルモジュールＭ３，Ｍ４は、トップモジュールＭ１の下方に積層される複数の収容モジュールの一例である。なお、取り込み兼リサイクルモジュールＭ２としては、リサイクルモジュールＭ３，Ｍ４の筐体やＩ／Ｏボードや後部の紙幣収容部Ｍ３ｂ，Ｍ４ｂを流用し、前部の紙幣収容部Ｍ３ａ，Ｍ４ａに代えて、取り忘れられた出金紙幣Ｂ１を収容する紙幣収容部Ｍ２ａなどが配置されるようにするとよい。
【００１５】
出金部１０に出金された紙幣Ｂである出金紙幣Ｂ１（図５Ｂ）が顧客によって取り忘れられた場合、図５Ａ〜図５Ｃに示す取り込み搬送部６０は、上記の収容モジュールのうち最上段に位置する取り込み兼リサイクルモジュールＭ２の前部の紙幣収容部Ｍ２ａに出金紙幣Ｂ１を取り込む。一例に過ぎないが、紙幣収容部Ｍ２ａは、１００枚の出金紙幣Ｂ１を収容可能である。この場合に、既に紙幣収容部Ｍ２ａに６０枚の出金紙幣Ｂ１が収容されているとき、出金部１０に同時に出金可能な紙幣Ｂの枚数が４０枚を超えていても（例えば５０枚）、紙幣Ｂの出金枚数を４０枚に制限し、取り込み動作に備えるとよい。なお、紙幣取扱装置１は、出金される紙幣Ｂの紙幣記番号を記憶していることで、取り込み動作の途中で取り込み対象の出金紙幣Ｂ１が顧客によって引き抜かれる不正が行われた場合に、紙幣記番号から引き抜かれた出金紙幣Ｂ１を特定することができる。
【００１６】
紙幣収容部Ｍ２ａは、出金紙幣Ｂ１を積層されるように収容し、その他の紙幣収容部Ｍ２ｂ，Ｍ３ａ，Ｍ３ｂ，Ｍ４ａ，Ｍ４ｂは、紙幣Ｂをフィルムで挟んで巻き付けて収容する。このように巻き付けられた紙幣Ｂは、出金用に再利用される。
【００１７】
なお、出金部１０から取り込まれる出金紙幣Ｂ１は、紙幣収容部Ｍ２ａに収容されるのではなく、出金用に再利用されるために他の紙幣収容部Ｍ２ｂ，Ｍ３ａ，Ｍ３ｂ，Ｍ４ａ，Ｍ４ｂに収容されたり、或いは後述する回収モジュールＭ６に収容されたりしてもよい。また、取り込み兼リサイクルモジュールＭ２に後部の紙幣収容部Ｍ２ｂが設けられていない場合には、そのスペースを利用して、サイズの大きな出金紙幣Ｂ１を取り込むことや或いは出金紙幣Ｂ１の取り込み枚数を増やすことが可能となる。
【００１８】
補充モジュールＭ５は、出金用に利用される紙幣Ｂを収容する。回収モジュールＭ６は、入金された紙幣Ｂのうち再利用されない紙幣Ｂを収容する。
【００１９】
図２は、紙幣取扱装置１の概略構成を示すブロック図である。
図３は、出金紙幣Ｂ１の取り込み動作を説明するためのフローチャートである。
【００２０】
図４は、トップモジュールＭ１及び取り込み兼リサイクルモジュールＭ２を示す右側面図である。
【００２１】
図５Ａ〜５Ｃは、出金紙幣Ｂ１の取り込み動作の概要を説明するための説明図である。
図６Ａ〜図６Ｅは、出金紙幣Ｂ１の取り込み動作の詳細を説明するための説明図である。
【００２２】
紙幣取扱装置１は、出金部１０と、押圧部２０と、駆動部３０と、載置部４０と、挟持検知センサ５０と、取り込み搬送部６０と、紙幣検知センサ７０と、制御部８１と、を備える。また、紙幣取扱装置１は、ストッパ８２と、入金部８３と、ＤＣモータ８４と、動力伝達機構８５と、を備えるとよい。
【００２３】
詳しくは後述するが、制御部８１は、紙幣検知センサ７０によって出金紙幣Ｂ１の残留が検知された場合、押圧部２０を押圧位置Ｐ１１（図５Ｃ及び図６Ｅ参照）に移動させるとともにストッパ８２を退避位置Ｐ３２（図６Ｃ〜図６Ｅ参照）に移動させるようにステッピングモータ３１を制御する。また、制御部８１は、載置部４０が出金紙幣Ｂ１を介して押圧部２０によって押圧されて下降したことを挟持検知センサ５０が検知した場合、ステッピングモータ３１の駆動を停止させ、出金紙幣Ｂ１を紙幣収容部Ｍ２ａ（図１及び図５Ａ〜図５Ｃ参照）に取り込ませるように取り込み搬送部６０（ＤＣモータ８４）を制御する。
【００２４】
以下、紙幣取扱装置１の各部について説明する。
図６Ａ〜図６Ｅに示すように、押圧部２０は、第１のアーム２１と、連結軸２２と、第２のアーム２３と、トーションスプリング２４と、押さえ部材２５と、ローラ２６と、を有する。押圧部２０は、出金紙幣Ｂ１（図５Ｂ参照）を押圧する押圧位置Ｐ１１（図５Ｃ及び図６Ｅ参照）と、この押圧位置Ｐ１１から退避した退避位置Ｐ１２（図５Ａ及び図６Ａ参照）とに移動する。なお、押圧部２０の構成は、好ましい一例にすぎず、出金紙幣Ｂ１を押圧する押圧位置Ｐ１１と、この押圧位置Ｐ１１から退避した退避位置Ｐ１２とに移動するものであれば他の構成であってもよい。
【００２５】
図６Ａ〜図６Ｅに示すように、第１のアーム２１は、駆動部３０の駆動により回動する動力伝達機構３２の回動軸３２ｋに一端を固定されている。
【００２６】
連結軸２２は、第１のアーム２１の他端に設けられている。連結軸２２のうち第１のアーム２１との連結部分を挟んだ両側には、第２のアーム２３及び押さえ部材２５が連結されている。なお、第２のアーム２３及び押さえ部材２５は、それぞれ２つずつ連結軸２２に連結されているが、第２のアーム２３及び押さえ部材２５の数は１つ又は３つ以上であってもよい。
【００２７】
第２のアーム２３は、連結軸２２に連結された一端とは反対側の他端である自由端に例えばベアリングであるローラ２３ａが設けられている。第２のアーム２３は、弾性体の一例であるトーションスプリング２４によってローラ２３ａ（自由端）側が出金紙幣Ｂ１に接近するように下方に付勢されている。このトーションスプリング２４は、第１のアーム２１に一端を固定された状態で連結軸２２に巻き付けられている。
【００２８】
そのため、回動軸３２ｋとともに第１のアーム２１が図６Ａ〜図６Ｅでは反時計回りに回動することに伴い押圧部２０が図６Ａに示す退避位置Ｐ１２から図６Ｅに示す押圧位置Ｐ１１に移動する過程で、トーションスプリング２４の付勢力によって、第２のアーム２３が出金紙幣Ｂ１側に付勢される。これにより、最初に出金紙幣Ｂ１に接触するのは、図６Ｃに示すように、押圧部２０のうち第２のアーム２３のローラ２３ａとなる。
【００２９】
第２のアーム２３には、出金紙幣Ｂ１側に突出するように設けられていることで出金紙幣Ｂ１に接触可能なガイド部２３ｂが設けられている。このガイド部２３ｂのうちローラ２３ａとは反対側の端部には２つの突起２３ｃ，２３ｃが設けられている。この突起２３ｃ，２３ｃは、図６Ａに示すように押圧部２０が退避位置Ｐ１２にあるとき、トップモジュールＭ１又は取り込み兼リサイクルモジュールＭ２内で移動不能に固定されている部材に設けられた板バネに接触し下方に付勢される。これにより、押圧部２０が退避位置Ｐ１２にあるとき、トーションスプリング２４の付勢力に抗して第２のアーム２３がローラ２３ａ側から上方（図６Ａでは反時計回り）に回動し、第２のアーム２３が第１のアーム２１と平行に近づく。
【００３０】
押さえ部材２５は、細長い板状を呈し、一端を連結軸２２に回動可能に連結されている。また、押さえ部材２５は、例えば自重で前方に垂れ下がるように配置されており、出金部１０に出金される前段階から出金紙幣Ｂ１を押さえる。押さえ部材２５の自由端である先端には、出金紙幣Ｂ１に対し平行な平面で接触するように屈曲する先端屈曲部２５ａが設けられている。押さえ部材２５は、押圧部２０が少なくとも退避位置Ｐ１２にあるときに出金紙幣Ｍ１を押さえることが望ましいが、押圧部２０が押圧位置Ｐ１１にあるときも出金紙幣Ｂ１を押さえる。なお、図５Ｂ及び図５Ｃでは、押さえ部材２５の図示を省略している。
【００３１】
ローラ２６は、連結軸２２の左右方向の中心に設けられており、押圧部２０が押圧位置Ｐ１１に移動すると、取り込み搬送部６０の搬送ベルト６１が巻き付けられたローラ４１に対し、出金紙幣Ｂ１及び搬送ベルト６１を介して接触する。
【００３２】
図４に示すように、駆動部３０は、取り込み兼リサイクルモジュールＭ２に配置された駆動源の一例であるステッピングモータ３１と、このステッピングモータ３１の動力を押圧部２０及びストッパ８２のそれぞれに伝達する動力伝達機構３２と、を有する。
【００３３】
動力伝達機構３２は、紙幣取扱装置１の右側に配置された、ギヤ３２ａ，３２ｃ，３２ｄ，３２ｅ，３２ｇ，３２ｈや伝動ベルト３２ｂ，３２ｆを有し、これらによって伝達される動力は、図６Ａ〜図６Ｅに示す回動軸３２ｉを介して紙幣取扱装置１の左側に伝達される。そして、この動力は、ギヤ列３２ｊを介して、押圧部２０の第１のアーム２１を回動させる回動軸３２ｋと、ストッパ８２を回動させる回動軸３２Ｌとに伝達される。なお、駆動部３０として、押圧部２０を移動させるものとストッパ８２を移動させるものとが個別に配置されていてもよいが、上述のように、単一の駆動源（ステッピングモータ３１）が発生させる動力を動力伝達機構３２によって押圧部２０及びストッパ８２のそれぞれに伝達する構成によって、駆動源の数を減らし、ひいては紙幣取扱装置１の簡素化を図ることができる。
【００３４】
載置部４０は、ローラ４１と、プレート４２と、検知用突起４３と、左右の側壁４４，４５と、を有し、図６Ａ〜図６Ｄに示す第１の位置Ｐ２１から、押圧部２０によって出金紙幣Ｂ１を介して押圧されることで図６Ｅに示す第２の位置Ｐ２２へ下降する。載置部４０は、図示しない弾性体によって第１の位置Ｐ２１へ向けて上方に付勢されている。そのため、載置部４０は、押圧部２０によって押圧されていない状態では第１の位置Ｐ２１にあり、押圧部２０によって弾性体の付勢力に抗して押圧されて、第２の位置Ｐ２２へ下降する。なお、載置部４０は、前方側のみが下方に移動するように回動しながら下降するが、全体が下降するようにしてもよい。
【００３５】
プレート４２には、搬送ベルト６１やストッパ８２との干渉を回避するための溝や孔が設けられている。図５Ｂに示すように、プレート４２には、出金紙幣Ｂ１のうち後方側の一部が載置される。なお、出金部１０に出金される紙幣Ｂは、トップモジュールＭ１において前方に搬送され、載置部４０に沿って斜め上方に出金部１０へ搬送される。そして、紙幣Ｂは、前方側が出金部１０内の底面に載置され、後方側がプレート４２に載置される。
【００３６】
図６Ａに示すように、プレート４２の前端には、２ヶ所に半円形状の切り欠き４２ａ，４２ａが設けられている。この切り欠き４２ａ，４２ａの下方には図示しない一対のプリズムが配置されている。切り欠き４２ａ，４２ａの一方は、図２に示す紙幣検知センサ７０から下方に照射される紙幣検知用光Ｌ１（図６Ａに一点鎖線で図示）を透過し、他方は、一対のプリズムにて屈曲し上方に紙幣検知センサ７０へ向かう紙幣検知用光Ｌ１を透過する。なお、紙幣検知センサ７０による出金紙幣Ｂ１の検知は、切り欠き４２ａを透過する紙幣検知用光Ｌ１を用いたものに限られず、出金紙幣Ｂ１の有無を検知するものであればよく、検知位置も特に制限されない。
【００３７】
また、プレート４２の前端には、下方に突出する検知用突起４３が設けられている。この検知用突起４３は、図６Ｅに示すように、載置部４０が第２の位置Ｐ２２に下降したときのみ、例えば遮光センサである図２及び図５Ａ〜図５Ｃに示す挟持検知センサ５０の挟持検知用光Ｌ２（図６Ｅに太い実線で図示）を遮光する。なお、載置部４０が第１の位置Ｐ２１にあるときの図６Ｅに二点鎖線で示す検知用突起４３−１は、挟持検知用光Ｌ２を遮光しない。
【００３８】
挟持検知センサ５０としては、検知用突起４３によって挟持検知用光Ｌ２が遮光されるものに限らず、載置部４０が第２の位置Ｐ２２に下降したことを検知するものであれば他のセンサであってもよい。更には、挟持検知センサ５０としては、押圧部２０と載置部４０との間で出金紙幣Ｂ１が挟持されたことを検知するものであればよいため、例えば、出金紙幣Ｂ１との接触部分が上下動するように且つ下方に付勢されるように押圧部２０が設けられていれば、この接触部分が出金紙幣Ｂ１の押圧時に上昇することを検知するセンサであってもよい。或いは、挟持検知センサ５０としては、出金紙幣Ｂ１の押圧時に押圧部２０に加わる負荷を検知するセンサなどであってもよい。そのため、載置部４０は、第１の位置Ｐ２１から第２の位置Ｐ２２に下降するものに制限されず、取り込み兼リサイクルモジュールＭ２内で移動不能に固定されていてもよい。
【００３９】
側壁４４，４５は、プレート４２の左右において上方に突出するように設けられており、トップモジュールＭ１内から出金部１０へ向けて搬送される紙幣Ｂや、取り込み搬送部６０によって紙幣収容部Ｍ２ａに取り込まれる出金紙幣Ｂ１の側面をガイドする。
【００４０】
図５Ｂ及び図５Ｃに示すように、取り込み搬送部６０は、上述の搬送ベルト６１と、羽根車６２とによって、出金紙幣Ｂ１を紙幣収容部Ｍ２ａに取り込む。
【００４１】
制御部８１は、例えば紙幣取扱装置１全体の動作を制御する演算処理装置として機能するプロセッサ（例えばＣＰＵ： Central Processing Unit）や、メモリ等の記憶部を有する。
【００４２】
上述のように、制御部８１は、紙幣検知センサ７０によって出金紙幣Ｂ１の残留が検知された場合、押圧部２０を押圧位置Ｐ２１に移動させるとともにストッパ８２を退避位置Ｐ３２に移動させるように駆動部３０を制御する。また、制御部８１は、挟持検知センサ５０が載置部４０の下降、すなわち出金紙幣Ｂ１の挟持を検知した場合、出金紙幣Ｂ１を紙幣収容部Ｍ２ａに取り込ませるように取り込み搬送部６０を制御する。例えば、制御部８１は、ＤＣモータ８４を駆動させ、動力伝達機構８５を介して取り込み搬送部６０にＤＣモータ８４が発生させた動力を伝えることで、取り込み搬送部６０を制御する。
【００４３】
ストッパ８２は、出金紙幣Ｂ１の装置内部（紙幣収容部Ｍ２ａ）側である後端の位置を規制する図５Ａ及び図６Ａに示す規制位置Ｐ３１と、この規制位置Ｐ３１から退避した図６Ｃ〜図６Ｅに示す退避位置Ｐ３２とに移動する。上述のように、ストッパ８２は、ステッピングモータ３１の動力が動力伝達機構３２を介して伝達されることで回動軸３２Ｌと一体に回動する。なお、ストッパ８２が図６Ｃに示すように退避位置Ｐ３２に倒れた後には、ストッパ８２が他の部材に接触することにより、この負荷を回動軸３２Ｌに設けられたトルクリミッタが検知し、押圧部２０（第１のアーム２１）の回動途中に回動軸３２Ｌの回動のみ停止するようにするとよい。或いは、ストッパ８２が退避位置Ｐ３２に倒れた後も回動するスペースがあれば、回動軸３２Ｌの回動は停止させなくてもよい。なお、図６Ｃに示すように、ストッパ８２が退避位置Ｐ３２に倒れるときには、押圧部２０のうち少なくとも一部（第２のアーム２３のローラ２３ａ）が載置部４０との間で出金紙幣Ｂ１を挟持しているとよい。
【００４４】
入金部８３は、図５Ａに示すように、出金部１０の上方に設けられている。紙幣Ｂは、出金部１０の上面にガイドされながら、トップモジュールＭ１内に挿入される。この紙幣Ｂは、トップモジュールＭ１内の鑑別部などを経て、図１に示す取り込み兼リサイクルモジュールＭ２又はリサイクルモジュールＭ３，Ｍ４の紙幣収容部Ｍ２ｂ，Ｍ３ａ，Ｍ３ｂ，Ｍ４ａ，Ｍ４ｂ、回収モジュールＭ６などに搬送される。
【００４５】
図１及び図２に示すＤＣモータ８４が発生させる動力は、図６Ａ〜図６Ｅに示すギヤ８５ａ，８５ｂ及び回動軸８５ｃを有する動力伝達機構８５を介して、搬送ベルト６１に伝達される。
【００４６】
以下、図３のフローチャートに沿って、出金紙幣Ｂ１の取り込み動作を説明するが、上述の説明と重複する事項については説明を適宜省略する。
【００４７】
まず、制御部８１は、紙幣検知センサ７０によって出金紙幣Ｂ１の残留（取り忘れ）を検知する（ステップＳ１）。
【００４８】
例えば、制御部８１は、出金紙幣Ｂ１の残留を、紙幣Ｂが出金部１０に出金されてから所定時間経過後に出金紙幣Ｂ１が出金部１０にあるか否かで判定する。或いは、制御部８１は、紙幣取扱装置１の撮像装置によって撮像された画像や人感センサによる検出結果に基づいて顧客が紙幣取扱装置１から離れたときに出金紙幣Ｂ１が出金部１０にあるか否かで出金紙幣Ｂ１の残留を判定してもよい。
【００４９】
制御部８１が、出金紙幣Ｂ１が残留していないと判定すれば（ステップＳ１：ＮＯ）、図３に示す処理が終了する。
【００５０】
また、制御部８１が、出金紙幣Ｂ１が残留していると判定すれば（ステップＳ１：ＹＥＳ）、押圧部２０を押圧位置Ｐ１１（図５Ｃ及び図６Ｅ参照）に移動させるとともにストッパ８２を退避位置Ｐ３２に移動させるようにステッピングモータ３１（駆動部３０）を制御する（ステップＳ２）。
【００５１】
また、制御部８１は、載置部４０が出金紙幣Ｂ１を介して押圧部２０によって押圧されて押圧位置Ｐ１１から第２の位置Ｐ２２まで下降したことを挟持検知センサ５０が検知するか否かを、載置部４０の下降が検知されるまで繰り返す（ステップＳ３）。
【００５２】
載置部４０の下降が検知されると（ステップＳ３：ＹＥＳ）、制御部８１は、ステッピングモータ３１の駆動を停止させ（ステップＳ４）、出金紙幣Ｂ１を紙幣収容部Ｍ２ａに取り込ませるように取り込み搬送部６０（ＤＣモータ８４）を制御する（ステップＳ５）。
【００５３】
なお、出金紙幣Ｂ１の取り込み動作の過程で、出金紙幣Ｂ１の枚数が少なくなり、これに伴い押圧部２０による載置部４０に対する押圧力が弱くなって載置部４０が第１の位置Ｐ２１まで或いは第１の位置Ｐ２１と第２の位置Ｐ２２との間の位置まで上昇し、挟持検知センサ５０が載置部４０の下降を検知しなくなる場合があり得る。この場合、制御部８１は、ステップＳ２の処理、すなわち、ステッピングモータ３１（駆動部３０）の駆動処理から処理を繰り返し、載置部４０の下降が再び検知された後（ステップＳ３：ＹＥＳ）にステッピングモータ３１の駆動を停止させ（ステップＳ４）、取り込み搬送（ステップＳ５）を再開するとよい。なお、この場合、ステッピングモータ３１の駆動を再開させても、ストッパ８２は既に退避位置Ｐ３２に倒れているため、上述のように、ストッパ８２が他の部材に接触することにより、この負荷を回動軸３２Ｌに設けられたトルクリミッタ等が検知し、押圧部２０が押圧位置Ｐ１１に移動途中であっても回動軸３２Ｌの回動が停止するようにするとよい。
【００５４】
また、紙幣の取り込み搬送が終了した後の処理については、紙幣検知センサ７０が載置部４０に出金紙幣Ｂ１が無いことを検知すると、制御部８１がステッピングモータ３１を駆動して、押圧部２０を退避位置Ｐ１２の位置に移動させると共に、ストッパ８２を規制位置Ｐ３１に移動させる。押圧部２０の退避位置Ｐ１２への移動完了をセンサ等で検知すると、制御部８１はステッピングモータ３１を停止させる。
【００５５】
以上説明した本実施の形態では、紙幣取扱装置１は、出金部１０と、押圧部２０と、駆動部３０と、載置部４０と、挟持検知センサ５０と、取り込み搬送部６０と、紙幣検知センサ７０と、制御部８１と、を備える。出金部１０は、紙幣Ｂを出金するために配置されている。押圧部２０は、出金部１０に出金された紙幣Ｂである出金紙幣Ｂ１を押圧する押圧位置Ｐ１１と当該押圧位置Ｐ１１から退避した退避位置Ｐ１２とに移動する。駆動部３０は、押圧部２０を移動させる。載置部４０は、出金紙幣Ｂ１の少なくとも一部が載置される。挟持検知センサ５０は、押圧部２０と載置部４０との間で出金紙幣Ｂ１が挟持されたことを検知する。取り込み搬送部６０は、出金紙幣Ｂ１を装置内部の一例である紙幣収容部Ｍ２ａに取り込む。紙幣検知センサ７０は、出金紙幣Ｂ１の有無を検知する。制御部８１は、紙幣検知センサ７０によって出金紙幣Ｂ１の残留が検知された場合（図３のステップＳ１：ＹＥＳ）、押圧部２０を押圧位置Ｐ１１に移動させるように駆動部３０（ステッピングモータ３１）を制御する（ステップＳ２）。また、制御部８１は、挟持検知センサ５０が出金紙幣Ｂ１の挟持を検知した場合（ステップＳ３：ＹＥＳ）、出金紙幣Ｂ１を紙幣収容部Ｍ２ａに取り込ませるように取り込み搬送部６０（ＤＣモータ８４）を制御する。
【００５６】
このように、本実施の形態では、出金部１０に残留する出金紙幣Ｂ１が押圧部２０と載置部４０との間で挟持されたことが検知されてから、取り込み搬送部６０が出金紙幣Ｂ１を紙幣収容部Ｍ２ｂに取り込む。一方、押圧部２０と載置部４０との間で出金紙幣Ｂ１が挟持されたことを検知しない態様（比較例）では、出金紙幣Ｂ１の枚数に限らず出金紙幣Ｂ１を挟持可能とするために、例えば数枚の出金紙幣Ｂ１に適した強い挟持力が設定されていると、特に数十枚の束の出金紙幣Ｂ１の搬送に負荷が生じ取り込み不良が発生したり或いは出金紙幣Ｂ１が損傷したりする。また、例えば数十枚の束の出金紙幣Ｂ１に適した弱い挟持力が設定されていると、特に数枚の出金紙幣Ｂ１が挟持されずに取り込み不良が発生し得る。この点、本実施の形態では、上述のように、出金紙幣Ｂ１が押圧部２０と載置部４０との間で挟持されたことが検知されてから、取り込み搬送部６０が出金紙幣Ｂ１を紙幣収容部Ｍ２ｂに取り込むため、押圧部２０と載置部４０との間で出金紙幣Ｂ１が適切に挟持された状態で取り込み搬送部６０が出金紙幣Ｂ１を紙幣収容部Ｍ２ｂに取り込むことができる。
【００５７】
よって、本実施の形態によれば、出金部１０に残留する紙幣Ｂ（出金紙幣Ｂ１）の取り込み不良の発生を抑制することができる。
【００５８】
また、本実施の形態では、載置部４０は、押圧部２０によって出金紙幣Ｂ１を介して押圧されることで第１の位置Ｐ２１から第２の位置Ｐ２２へ下降し、挟持検知センサ５０は、載置部４０が第２の位置Ｐ２２にあることを検知することで、出金紙幣Ｂ１が挟持されたことを検知する。そのため、簡素な構成で、出金紙幣Ｂ１が挟持されたことを検知することができる。
【００５９】
また、本実施の形態では、紙幣取扱装置１は、出金紙幣Ｂ１の紙幣収容部Ｍ２ａ側である後端の位置を規制する規制位置Ｐ３１と当該規制位置Ｐ３１から退避した退避位置Ｐ３２とに移動するストッパ８２を更に備える。また、駆動部３０は、押圧部２０及びストッパ８２を移動させる。また、駆動部３０は、駆動源の一例であるステッピングモータ３１と、単一のステッピングモータ３１が発生させる動力を押圧部２０及びストッパ８２のそれぞれに伝達する動力伝達機構３２と、を有する。制御部８１は、紙幣検知センサ７０によって出金紙幣Ｂ１の残留が検知された場合、押圧部２０を押圧位置Ｐ１１に移動させるとともにストッパ８２を退避位置Ｐ３２に移動させるように駆動部３０（ステッピングモータ３１）を制御する。このように、単一のステッピングモータ３１によって押圧部２０及びストッパ８２を移動させることができるため、簡素な構成で、出金紙幣Ｂ１の取り込み動作を行うことができる。
【００６０】
また、本実施の形態では、押圧部２０は、駆動部３０の駆動により回動する回動軸３２ｋに一端を固定された第１のアーム２１と、この第１のアーム２１の他端に設けられた連結軸２２と、この連結軸２２に一端を連結され出金紙幣Ｂ１に接触する第２のアーム２３と、第１のアーム２１に固定され第２のアーム２３を出金紙幣Ｂ１側に付勢する弾性体の一例であるトーションスプリング２４と、を有する。そのため、簡素な構成で、載置部４０との間に出金紙幣Ｂ１を挟持することができる。
【００６１】
また、本実施の形態では、押圧部２０は、一端を連結軸２２に回動可能に連結された押さえ部材２５を更に有し、この押さえ部材２５は、押圧部２０が少なくとも退避位置Ｐ１２にあるときに出金紙幣Ｂ１を押さえる。そのため、押圧部２０を用いることによって、載置部４０との間で出金紙幣Ｂ１を挟持するだけでなく出金部１０における出金紙幣Ｂ１の保持を行うことも可能となる。
【００６２】
また、本実施の形態では、紙幣取扱装置１は、出金部１０が前端に設けられたトップモジュールＭ１と、紙幣Ｍを収容する紙幣収容部Ｍ２ａ，Ｍ２ｂ，Ｍ３ａ，Ｍ３ｂ，Ｍ４ａ，Ｍ４ｂを前後のそれぞれに有し、トップモジュールＭ１の下方に積層される複数の収容モジュールの一例である取り込み兼リサイクルモジュールＭ２及びリサイクルモジュールＭ３，Ｍ４と、を更に備える。取り込み搬送部６０は、取り込み兼リサイクルモジュールＭ２及びリサイクルモジュールＭ３，Ｍ４のうち最上段に位置する取り込み兼リサイクルモジュールＭ２の前部の紙幣収容部Ｍ２ａに出金紙幣Ｂ１を取り込む。そのため、取り込み動作における出金紙幣Ｂ１の搬送経路を短縮しながら取り込み兼リサイクルモジュールＭ２の後部に紙幣収容部Ｍ２ｂを配置することができる。したがって、紙幣取扱装置１を簡素な構成にすることができる。
【００６３】
なお、本発明は、上述した実施の形態そのままに限定されるものではなく、実施段階でのその要旨を逸脱しない範囲で構成要素を変形して具体化することができる。また、実施の形態に開示されている複数の構成要素の適宜な組み合わせにより、種々の発明を形成することができる。例えば、実施の形態に示される全構成要素を適宜組み合わせてもよい。このように、発明の趣旨を逸脱しない範囲内において種々の変形や応用が可能である。
【符号の説明】
【００６４】
１      紙幣取扱装置
１０      出金部
２０      押圧部
２１      第１のアーム
２２      連結軸
２３      第２のアーム
２３ａ      ローラ
２３ｂ      ガイド部
２３ｃ      突起
２４      トーションスプリング（弾性体）
２５      押さえ部材
２５ａ      先端屈曲部
２６      ローラ
３０      駆動部
３１      ステッピングモータ（駆動源）
３２      動力伝達機構
３２ａ，３２ｃ，３２ｄ，３２ｅ，３２ｇ，３２ｈ      ギヤ
３２ｂ，３２ｆ      伝動ベルト
３２ｉ，３２ｋ，３２Ｌ      回動軸
３２ｊ      ギヤ列
４０      載置部
４１      ローラ
４２      プレート
４２ａ      切り欠き
４３      検知用突起
４４，４５      側壁
５０      挟持検知センサ
６０      取り込み搬送部
６１      搬送ベルト
６２      羽根車
７０      紙幣検知センサ
８１      制御部
８２      ストッパ
８３      入金部
８４      ＤＣモータ
８５      動力伝達機構
８５ａ，８５ｂ      ギヤ
８５ｃ      回動軸
Ｂ      紙幣
Ｂ１      出金紙幣
Ｌ１      紙幣検知用光
Ｌ２      挟持検知用光
Ｍ１      トップモジュール
Ｍ２      取り込み兼リサイクルモジュール（収容モジュール）
Ｍ２ａ，Ｍ２ｂ      紙幣収容部
Ｍ３      リサイクルモジュール（収容モジュール）
Ｍ３ａ，Ｍ３ｂ      紙幣収容部
Ｍ４      リサイクルモジュール（収容モジュール）
Ｍ４ａ，Ｍ４ｂ      紙幣収容部
Ｍ５      補充モジュール
Ｍ６      回収モジュール
Ｐ１１      押圧位置
Ｐ１２      退避位置
Ｐ２１      第１の位置
Ｐ２２      第２の位置
Ｐ３１      規制位置
Ｐ３２      退避位置
【図１】
0006768160.tif 000002
【図２】
0006768160.tif 000003
【図３】
0006768160.tif 000004
【図４】
0006768160.tif 000005
【図５Ａ】
0006768160.tif 000006
【図５Ｂ】
0006768160.tif 000007
【図５Ｃ】
0006768160.tif 000008
【図６Ａ】
0006768160.tif 000009
【図６Ｂ】
0006768160.tif 000010
【図６Ｃ】
0006768160.tif 000011
【図６Ｄ】
0006768160.tif 000012
【図６Ｅ】
0006768160.tif 000013